(57)【要約】【課題】電気掃除機の使い勝手が低下する。【解決手段】掃除機本体２１は略筒箱形状で、下方に位置し充電池９を収納する充電池収納部１と、充電池収納部１の上方に配置され電動送風機１１を収納する電動送風機収納部４と、電動送風機収納部４の上方に配置された集塵室５と、充電池収納部１に連通する排気口６と、集塵室５に連通する吸気口７を備え、排気口６は、掃除機本体２１の長手方向の一方の端面もしくは一方の端近傍側壁面に設けられ、吸気口７は、掃除機本体２１の長手方向の他方の端面もしくは他方の端近傍側壁面に設けられ、掃除機本体２１の長手方向を水平面に対し鉛直方向にした時に、充電池収納部１と電動送風機１１と集塵室５の重心を通る各々の中心線が、掃除機本体２１の長手方向の略中心線上と合致するように配置する。【選択図】図４
2018075207.tif 000002
【特許請求の範囲】
【請求項１】
掃除機本体は、略円筒箱形状または略角筒箱形状とすると共に、下方に位置し充電池を収納する充電池収納部と、前記充電池収納部の上方に配置され電動送風機を収納する電動送風機収納部と、前記電動送風機収納部の上方に配置された集塵室と、前記充電池収納部に連通する排気口と、前記集塵室に連通する吸気口を備え、前記排気口は、前記掃除機本体の長手方向の一方の端面もしくは一方の端近傍側壁面に設けられ、前記吸気口は、前記掃除機本体の長手方向の他方の端面もしくは他方の端近傍側壁面に設けられ、前記掃除機本体の長手方向を水平面に対し鉛直方向にした時に、前記充電池収納部と前記電動送風機と前記集塵室の重心を通る各々の中心線が、前記掃除機本体の長手方向の略中心線上と合致するように配置させたことを特徴とする電気掃除機。
【請求項２】
前記充電池を、前記電動送風機からの排気の下流側に排気の流れ方向に沿うように配置した請求項１に記載の電気掃除機。
【請求項３】
前記掃除機本体が略円筒箱形状の場合において、前記掃除機本体の外郭に長手方向に沿って設置用平面を少なくとも１つ備えた請求項１または２に記載の電気掃除機。
【請求項４】
一端が前記排気口ならびに前記吸気口に取り付け可能で他端にノズルアタッチメントが接続されるノズルアタッチメント台を備えた請求項１〜３のいずれか１項に記載の電気掃除機。
【請求項５】
前記吸気口と前記排気口を通る各々の中心線が、前記掃除機本体の長手方向の略中心線上と合致するように配設し、前記吸気口または前記排気口に前記ノズルアタッチメント台を介して取り付けた前記ノズルアタッチメントの長軸が、前記掃除機本体の長手方向の略中心線と略直角に交差した状態で固定されるように前記ノズルアタッチメントに略Ｌ字状の形状を備えた請求項４に記載の電気掃除機。
【請求項６】
前記ノズルアタッチメントに回動部と回動保持部を設け、前記ノズルアタッチメントを前記ノズルアタッチメント台を介して前記吸気口または前記排気口に取り付けた状態で前記ノズルアタッチメントの長軸が、前記掃除機本体の長手方向の略中心線と略直角に交差する状態と略平行になる状態とを切りかえて保持できるように構成した請求項４または５に記載の電気掃除機。
【請求項７】
前記充電池収納部と前記電動送風機との間に、前記電動送風機を制御する本体操作基板を収納する基板収納部を配し、前記基板収納部に前記掃除機本体の外郭より突出する電源スイッチを設けた請求項１〜６のいずれか１項に記載の電気掃除機。
【請求項８】
前記集塵室の内側に弾性に富んだ材料からなり前記吸気口の蓋となる弁を設けた請求口１〜７のいずれか１項に記載の電気掃除機。
【発明の詳細な説明】
【技術分野】
【０００１】
本発明は、塵埃を吸い込むための吸込口と塵埃を吹き飛ばすための排気口とを設けた電気掃除機に関するものである。
【背景技術】
【０００２】
図６は、従来の電気掃除機の全体斜視図である。図６に於いて、従来のこの種の電気掃除機は、電動送風機（図示せず）、コード（図示せず）、集塵部（図示せず）を内蔵した掃除機本体２１と、電動送風機の吸込み側に接続された吸込みノズル３１および電動送風機の排気側に接続されたブロアノズル３２と、掃除機本体２１の外郭に設けられたパッド３３およびベルト体３４から構成される。使用者は、塵埃を吸い込むための吸込みノズル３１と、塵埃を吹き飛ばすためのブロアノズル３２のどちらか一方もしくは双方を手に持ち、ベルト体３４を肩にかけ、パッド３３を使用者の背面もしくは側面にあてた状態で掃除を行うようにしたものがある（例えば、特許文献１参照）。
【先行技術文献】
【特許文献】
【０００３】
【特許文献１】特開２０００−２４５６５９号公報
【発明の概要】
【発明が解決しようとする課題】
【０００４】
上記従来の電気掃除機の構成では、使い勝手が低下する課題がある。例えば、掃除機本体２１をベルト体３４で保持するか、キャリー具（図示せず）にセットした上で床に置く必要があり、掃除を実施するまでに手間が生じる場合がある。また、掃除機本体２１のサイズが大きく、車内などの狭い空間での使用性が低下する場合がある。また、吸込みノズル３１とブロアノズル３２の双方を使用した場合、両手が塞がってしまい、物を掴んで移動させるなどの手を使った動作が制限され、使い勝手が低下する場合がある。
【課題を解決するための手段】
【０００５】
上記従来の課題を解決するために、本発明の電気掃除機の掃除機本体は、略円筒箱形状または略角筒箱形状とすると共に、下方に位置し充電池を収納する充電池収納部と、充電池収納部の上方に配置され電動送風機を収納する電動送風機収納部と、電動送風機収納部の上方に配置された集塵室と、充電池収納部に連通する排気口と、集塵室に連通する吸気口を備え、排気口は、掃除機本体の長手方向の一方の端面もしくは一方の端近傍側壁面に設けられ、吸気口は、掃除機本体の長手方向の他方の端面もしくは他方の端近傍側壁面に設けられ、掃除機本体を立てた時に、充電池収納部と電動送風機と集塵室の重心を通る各々の中心線が、掃除機本体の長手方向の略中心線上と合致するように配置させたもので、掃除機本体の幅方向および厚み方向の寸法を小さくでき、掃除機本体を立てた時の収納性を向上させることが可能である。また、構成により、掃除機本体の中心部分を片手で保持することができ、それゆえ使用者はもう一方の手を開けた状態のまま掃除を実施でき、掃除の効率を向上させることができる。
【発明の効果】
【０００６】
本発明は、充電池収納部と電動送風機と集塵室の重心を通る各々の中心線が、掃除機本体の長手方向の略中心線上と合致するように配置されているため、重心を中央近傍に配置することができ、また、充電池収納部、電動送風機、集塵室の幅方向および厚み方向の寸法を小さくすることができる。これにより、電気掃除機の使い勝手を向上させることができる。
【図面の簡単な説明】
【０００７】
【図１】本発明の実施の形態１における電気掃除機の掃除機本体の斜視図
【図２】同掃除機本体の吸気口にノズルアタッチメント台を介してノズルアタッチメントを取り付けた際の斜視図
【図３】同掃除機本体の排気口にノズルアタッチメント台を介してノズルアタッチメンを取り付けた際の斜視図
【図４】（ａ）同掃除機本体の吸気口にノズルアタッチメント台を介してノズルアタッチメントを取り付けた際の正面図、（ｂ）図４（ａ）のＡ−Ａ断面図
【図５】同ノズルアタッチメントを収納した際の掃除機本体の側面図
【図６】従来の電気掃除機の全体斜視図
【発明を実施するための形態】
【０００８】
本発明の実施の形態に係る掃除機本体は、略円筒箱形状または略角筒箱形状とすると共に、下方に、すなわち、筒箱形状の底部側に位置し充電池を収納する充電池収納部と、充電池収納部の上方に配置され電動送風機を収納する電動送風機収納部と、電動送風機収納部の上方に配置された集塵室と、充電池収納部に連通する排気口と、集塵室に連通する吸気口を備え、排気口は、掃除機本体の長手方向の一方の端面もしくは一方の端近傍側壁面に設けられ、吸気口は、掃除機本体の長手方向の他方の端面もしくは他方の端近傍側壁面に設けられ、掃除機本体を立てた時に、すなわち、掃除機本体の長手方向を水平面に対し鉛直方向にした時に、充電池収納部と電動送風機と集塵室の重心を通る各々の中心線が、掃除機本体の長手方向の略中心線上と合致するように配置させたもので、掃除機本体の幅方向および厚み方向の寸法を小さくでき、小型軽量化が可能である。また、掃除機本体を立てた時の収納性を向上させることが可能である。また、構成により、掃除機本体の中心部分を片手で保持することができ、それゆえ使用者はもう一方の手を開けた状態のまま掃除を実施でき、掃除の効率を向上させることができる。
【０００９】
また、充電池を、電動送風機からの排気の下流側に排気の流れ方向に沿うように配置したもので、充電池の長手方向に沿って周囲を排気が通過することで、充電池を効率よく冷却することができ、充電池収納部の過度な温度上昇を防ぐことができる。
【００１０】
また、掃除機本体が略円筒箱形状の場合において、掃除機本体の外郭に長手方向に沿って設置用平面を少なくとも１つ備えたもので、掃除機本体を横向きに置いた際に、掃除機本体が転がるのを防ぐことができる。
【００１１】
また、電気掃除機に於いて、一端が排気口ならびに吸気口に取り付け可能で、他端にノズルアタッチメントが接続されるノズルアタッチメント台を備えたもので、排気口ならびに吸気口にノズルアタッチメント台を介して共有のノズルアタッチメントを取り付けることができ、使用シーンに合わせて使い分けを行うことが可能である。
【００１２】
また、吸気口と排気口を通る各々の中心線が、掃除機本体の長手方向の略中心線上と合致するように配設し、吸気口または排気口にノズルアタッチメント台を介して取り付けたノズルアタッチメントの長軸が、掃除機本体の長手方向の略中心線と略直角に交差した状態で固定されるようにノズルアタッチメントに略Ｌ字状の形状を備えたもので、掃除機本体を操作する際、片手で掃除機本体を保持し、手首を回旋することで、塵埃の吸込みと吹き飛ばしの両機能を使い分けることが可能である。
【００１３】
また、ノズルアタッチメントに回動部と回動保持部を設け、ノズルアタッチメントをノズルアタッチメント台を介して吸気口または排気口に取り付けた状態でノズルアタッチメントの長軸が、掃除機本体の長手方向の略中心線と略直角に交差する状態と略平行になる
状態とを切り換えて保持できるように構成したもので、収納時にノズルアタッチメントを取り付けた状態でも、本体の幅方向および厚み方向の寸法を小さくでき、収納性が悪くなるのを防ぐことができる。
【００１４】
また、充電池収納部と電動送風機との間に、電動送風機を制御する本体操作基板を収納する基板収納部を配し、基板収納部に掃除機本体の外郭より突出する電源スイッチを設けたもので、掃除機本体を片手で保持しながら、電源スイッチの操作を実施することが可能である。
【００１５】
また、集塵室の内側に弾性に富んだ材料からなり吸気口の蓋となる弁を設けたもので、塵埃の吸込み時には空気の流れにより弁が電動送風機側に倒れ、空気の流路を確保し、吸込み以外の時には吸気口を弁が塞ぎ、集塵室に溜まった塵埃が吸気口を通って掃除機本体の機外に漏れ出すのを防ぐことができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における電気掃除機の掃除機本体の斜視図、図２は、同掃除機本体の吸気口にノズルアタッチメント台を介してノズルアタッチメントを取り付けた際の斜視図、図３は、同掃除機本体の排気口にノズルアタッチメント台を介してノズルアタッチメンを取り付けた際の斜視図、図４（ａ）は、同掃除機本体の吸気口にノズルアタッチメント台を介してノズルアタッチメントを取り付けた際の正面図、図４（ｂ）は、図４（ａ）のＡ−Ａ断面図、図５は、同ノズルアタッチメントを収納した際の掃除機本体の側面図である。
【００１８】
図１〜５に於いて、本実施の形態における電気掃除機の掃除機本体２１の外郭２１ａは略円筒箱形状で形成されている。掃除機本体２１は、充電池９を収納する充電池収納部１と、本体下ケース２と、基板収納部３と、電動送風機１１を収納する電動送風機収納部４と、集塵フィルター１２が装着された集塵室５とによって形成されている。なお、本実施の形態では外郭２１ａを略円筒箱形状としたが、略角筒箱形状でもよい。
【００１９】
図４（ｂ）に示すように、本体下ケース２には、充電池収納部１と外部を連通する排気口６が、集塵室５には外部と連通する吸気口７が夫々設けられている。また、吸気口７の電動送風機収納部４側には弾性に富んだ材料からなる弁８が装着されている。
【００２０】
また、基板収納部３の内部には電動送風機１１を制御する本体操作基板１０が装着されている。また、基板収納部３には掃除機本体２１の外郭２１ａより突出するように電源スイッチ１３が装着されている。
【００２１】
また、本体下ケース２に設けられた排気口６、集塵室５に設けられた吸気口７にはノズルアタッチメント台１４の一端が取り付けられるようになっている。ノズルアタッチメント台１４の他端にはノズルアタッチメント１５が装着されている。
【００２２】
また、電動送風機収納部４の上部には集塵室５と連通する通気口ａ１６を備え、基板収納部３の上部には電動送風機収納部４と連通する通気口ｂ１７を備え、充電池収納部１の上部には基板収納部３と連通する通気口ｃ１８を備えている。また、掃除機本体２１の外郭２１ａに設置用平面１９を備えている。加えて、排気口６ならびに吸気口７に対し、ノズルアタッチメント１５を掃除機本体２１の長手方向の略中心線と平行に装着できるようになっている。また、基板収納部３には掃除機本体２１の外郭２１ａの内部に収まるよう
に充電部２０が装着されている。
【００２３】
以上のように構成された本実施の形態における電気掃除機の動作、作用について説明する。
【００２４】
充電池９に接続された電動送風機１１が駆動すると、ノズルアタッチメント１５から塵埃を含んだ空気が吸い込まれる。吸い込まれた空気は、ノズルアタッチメント台１４を介して、集塵室５内に設置された集塵フィルター１２に送り込まれる。ここで塵埃と空気は分離され、塵埃は集塵フィルター１２に留まり、空気は電動送風機収納部４に設けられた通気口ａ１６を通って電動送風機１１に流入し、排気される。排気された空気は、基板収納部３に設けられた通気口ｂ１７を通って、基板収納部３に流入し、本体操作基板１０を冷却して排気される。
【００２５】
排気された空気は、充電池収納部１に設けられた通気口ｃ１８を通って充電池収納部１内に流入し、充電池９を冷却して排気される。排気された空気は、充電池収納部１および本体下ケース２に設けられた排気口６を通って機外に排出される。
【００２６】
本実施の形態に於ける電気掃除機は、充電池収納部１と本体下ケース２と基板収納部３と電動送風機１１と集塵室５の重心を通る各々の中心線（図示せず）が、掃除機本体２１の長手方向の略中心線上と合致するように配置しているため、充電池収納部１と本体下ケース２と基板収納部３と電動送風機収納部４と集塵室５の幅方向および厚み方向の寸法を小さくすることで、掃除機本体２１の幅方向および厚み方向の寸法を小さくでき、掃除機本体２１を立てた時の収納性を向上させることが可能である。これにより、狭い空間や身近な空間にも電気掃除機を収納することができ、使用者はより気軽に容易に電気掃除機を使用できる。
【００２７】
また、上記構成により、掃除機本体２１の中心部分を片手で保持することができ、それゆえ使用者はもう一方の手を開けた状態のまま掃除を実施することが可能である。
【００２８】
また、掃除機本体２１の外郭２１ａを略円筒箱形状または略角筒箱形状のように筒箱形状とすることにより、使用者は外郭２１ａを直接保持することができるため、掃除機本体２１を安定して保持することができる。
【００２９】
また、掃除機本体２１の重心により近い中心部分を保持することができるため、使用者が保持する際のモーメントによる影響が小さくなる。それゆえ、使用者の持ち手に対する重量的な負担を軽減することができるとともに、掃除機本体２１を傾ける際にも安定して保持することができる。
【００３０】
また、重心を中心に設けているため、掃除機本体２１を、上下いずれの方向に向けた場合においても、安定して掃除機本体２１を保持することができる。
【００３１】
さらに、一端が排気口６ならびに吸気口７に取り付け可能、すなわち、一端が排気口６と吸気口７のいずれにも取り付け可能で他端にノズルアタッチメント１５が接続されるノズルアタッチメント台１４を備えたので、排気口６ならびに吸気口７にノズルアタッチメント台１４を介して共有のノズルアタッチメント１５を取り付けることができるようになり、使用シーンに合わせて使い分けを行うことが可能となる。
【００３２】
また、集塵室５の内側に弾性に富んだ材料からなり吸気口７の蓋となる弁８を設けたので、塵埃の吸込み時には空気の流れにより弁８が電動送風機１１側に倒れ、空気の流路を確保し、吸込み以外の時には吸気口７を弁８が塞ぎ、集塵室５に溜まった塵埃が吸気口７
を通って掃除機本体２１の機外に漏れ出すのを防ぐことができる。
【００３３】
また、充電池収納部１と電動送風機１１との間に、電動送風機１１を制御する本体操作基板１０を収納する基板収納部３を配し、基板収納部３に掃除機本体２１の外郭２１ａより突出する電源スイッチ１３を設けたので、掃除機本体２１を片手で保持しながら、電源スイッチ１３の操作を実施することが可能である。
【００３４】
上記実施の形態では、掃除機本体２１の一方の端面に吸気口７が、他方の端面に排気口６が設けられているが、掃除機本体２１の一端の近傍の側壁面に吸気口７を、他端の近傍の側壁面に排気口６を設けるようにしてもよい。
【００３５】
また、充電池９を、電動送風機１１からの排気の下流側に排気の流れ方向に沿うように配置すれば、充電池９の長手方向に沿って周囲を排気が通過するようになり、充電池９を効率よく冷却することができ、充電池収納部１の過度な温度上昇を防ぐことができる。
【００３６】
本実施の形態では、掃除機本体２１の外郭に長手方向に沿って設置用平面１９を備えているので、掃除機本体２１を横向きに置いた際に、掃除機本体２１が転がるのを防ぐことができる。
【００３７】
なお、吸気口７と排気口６を通る各々の中心線が、掃除機本体２１の長手方向の略中心線上と合致するように配設し、吸気口７または排気口６にノズルアタッチメント台１４を介して取り付けたノズルアタッチメント１５の長軸１５ａが、掃除機本体２１の長手方向の略中心線と略直角に交差した状態で固定されるようにノズルアタッチメント台１４に略Ｌ字状の形状備えると、掃除機本体２１を操作する際、片手で掃除機本体２１を保持し、手首を回旋することで、塵埃の吸込みと吹き飛ばしの両機能を使い分けることが可能になる。
【００３８】
また、これにより、自然な持ち手で、側面や高い位置に対して、掃除を実施できる。
【００３９】
特に図示しないが、ノズルアタッチメント１５に回動部と回動保持部を設け、ノズルアタッチメント１５をノズルアタッチメント台１４を介して吸気口７または排気口６に取り付けた状態でノズルアタッチメント１５の長軸１５ａが、掃除機本体２１の長手方向の略中心線と略直角に交差する状態と略平行になる状態とを切り換えて保持できるように構成すれば、収納時にノズルアタッチメント１５を取り付けた状態でも、掃除機本体２１の幅方向および厚み方向の寸法を小さくでき、収納性が悪くなるのを防ぐことができる。
【００４０】
また、掃除機本体２１の長手方向に垂直な断面形状をφ８５ｍｍの円に収まるようにすれば、車のドリンクホルダーに掃除機本体２１を収納することもでき、さらに、車内のシガーソケットから充電部２０を通して充電池９に充電をすることも可能である。
【産業上の利用可能性】
【００４１】
本発明は、塵埃を吸い込むための吸込口と塵埃を吹き飛ばすための排気口とを設けた電気掃除機に適用可能である。
【符号の説明】
【００４２】
１  充電池収納部
２  本体下ケース
３  基板収納部
４  電動送風機収納部
５  集塵室
６  排気口
７  吸気口
８  弁
９  充電池
１０  本体操作基板
１１  電動送風機
１２  集塵フィルター
１３  電源スイッチ
１４  ノズルアタッチメント台
１５  ノズルアタッチメント
１６  通気口ａ
１７  通気口ｂ
１８  通気口ｃ
１９  設置用平面
２０  充電部
２１  掃除機本体
２１ａ  外郭
【図１】
2018075207.tif 000003
【図２】
2018075207.tif 000004
【図３】
2018075207.tif 000005
【図４】
2018075207.tif 000006
【図５】
2018075207.tif 000007
【図６】
2018075207.tif 000008